(57)【要約】【課題】  小形電子装置類に使用されるマイクロユニバーサルシリアルバスコネクタと、型式の異なる専用コネクタと、を信号授受可能に連結するためのマイクロユニバーサルシリアルバスアダプタを提供する。【解決手段】  マイクロユニバーサルシリアルバスアダプタのハウジングから突出するアップル社型専用コネクタの雄型コネクタが同型の雌型部に結合可能であり、その他端はハウジング内に配置されたマイクロユニバーサルシリアルバスコネクタの雌型部であって、標準的マイクロユニバーサルシリアルバスの雄型プラグを受容可能に形成される。【選択図】  図１
2012038727.tif 000002
【特許請求の範囲】
【請求項１】
ハウジングと、該ハウジング内部に収納されたプリント回路基板と、前記プリント回路基板と電気的に接続された専用コネクタ部と、および、前記プリント回路基板に対して電気的に接続されたマイクロユニバーサルシリアルバスコネクタ部と、からなり、前記専用コネクタ部と前記マイクロユニバーサルバスコネクタ部間に相応の電気的接続が形成された、ことを特徴とするマイクロユニバーサルシリアルバスアダプタ。
【請求項２】
前記ハウジングが上半部ハウジングと下半部ハウジングとの組み合わせから形成される、ことを特徴とする請求項１記載のマイクロユニバーサルシリアルバスアダプタ。
【請求項３】
前記ハウジングがプラスチック素材製である、ことを特徴とする請求項２記載のマイクロユニバーサルシリアルバスアダプタ。
【請求項４】
前記プラスチック素材がＡＢＳ樹脂である、ことを特徴とする請求項３記載のマイクロユニバーサルシリアルバスアダプタ。
【請求項５】
前記専用コネクタがアップル社型専用コネクタである、ことを特徴とする請求項１記載のマイクロユニバーサルシリアルバスアダプタ。
【請求項６】
前記ハウジングが該ハウジングの一つの角部付近に形成された開口部を有する、ことを特徴とする請求項１記載のマイクロユニバーサルシリアルバスアダプタ。
【請求項７】
前記ハウジングが該ハウジングの一つの角部付近に形成された開口部を有する、ことを特徴とする請求項２記載のマイクロユニバーサルシリアルバスアダプタ。
【請求項８】
上半部ハウジングおよび下半部ハウジングから成るプラスチック製ハウジングと、前記ハウジング内に収納されるプリント回路基板と、前記プリント回路基板に対して電気的に接続されたアップル社型専用コネクタと、および、前記プリント回路基板に対して電気的に接続されたマイクロユニバーサルシリアルバスコネクタと、から構成され、前記アップル社型専用コネクタと前記マイクロユニバーサルシリアルバスコネクタとの間に相応の電気的接続が形成される、ことを特徴とするマイクロユニバーサルシリアルバスアダプタ。
【請求項９】
前記ハウジングが該ハウジングの一つの角部付近に形成された開口部を有する、ことを特徴とする請求項８記載のマイクロユニバーサルシリアルバスアダプタ。
【発明の詳細な説明】
【技術分野】
【０００１】
本発明は、特種形式の専用コネクタと他型式のコネクタとを接続可能にするためのアダプタに関し、詳しくは、標準的なマイクロユニバーサルシリアルバスコネクタに対して特種形式のコネクタを接続可能にするためのマイクロユニバーサルシリアルバスアダプタに関する。
【背景技術】
【０００２】
アメリカ合衆国、カリフォルニア州（Ｃｕｐｅｒｔｉｎｏ）所在のＡｐｐｌｅ
Ｉｎｃ．（以下、「アップル社」と略記する）は、コンピュータをはじめ多種の電子装置を製造および販売しており、これら電子装置類のデータ授受用ならびに搭載される二次電池に対する充電用としてアップル社独自の専用コネクタ（以下、「アップル社型専用コネクタ」ともいう）を採用している。アップル社型専用コネクタは、幅が約２１ｍｍ、厚さが２．４ｍｍの角型形状に形成されている。この専用コネクタは、１０ピンから３０ピンの接続電極を内包している。かかる電子装置類に装着される専用コネクタへの接続には対応する同種のコネクタが不可欠である。
【０００３】
マイクロユニバーサルシリアルバス（マイクロＵＳＢ）の雌型コネクタの概略寸法は、幅が７．４ｍｍ、厚さが２ｍｍとなっている。マイクロＵＳＢの雌型コネクタは、５ピンないし１２ピンの接続電極となっている。かかるマイクロＵＳＢの雌型コネクタを連結するには標準タイプの雄型ＵＳＢを必要とする。マイクロＵＳＢは、多種類の電子機器に広く採用される国際的な標準コネクタである。
【０００４】
アップル社型専用コネクタは、上記のような事情から標準的なマイクロＵＳＢコネクタに対して直接接続することはできない。かかる互換性の欠如するアップル社型専用コネクタと標準的なマイクロＵＳＢコネクタとに対してコンパクトで容易に使用可能な機能を備えたアダプタが求められている。
【発明の概要】
【発明が解決しようとする課題】
【０００５】
本発明は、上記事情に鑑み、アップル社型専用コネクタに対してマイクロユニバーサルコネクタ（マイクロＵＳＢ）を接続可能にするマイクロユニバーサルシリアルバス用アダプタを提供することを課題とする。本発明に係るマイクロユニバーサルシリアルバス用アダプタは、その一端がアップル社型専用コネクタの雌型部に適合する雄型コネクタであり、そして他端が標準の雄型ＵＳＢへの接続に適合する雌型マイクロユニバーサルシリアルバスコネクタ（マイクロＵＳＢ雌型コネクタ）として構成される。
【０００６】
本発明に係るユニバーサルシリアルバスアダプタの目的は、アップル社型専用コネクタから標準マイクロＵＳＢに接続可能なアダプタを提供することである。マイクロユニバーサルシリアルバスアダプタの他の目的は、標準マイクロＵＳＢコネクタと専用コネクタとの連携使用を可能とする小型軽量かつ携行容易なアダプタを提供することである。
【課題を解決するための手段】
【０００７】
請求項１に記載の発明は、ハウジングと、該ハウジング内部に収納されたプリント回路基板と、前記プリント回路基板に対して電気的に接続された専用コネクタ部と、および、前記プリント回路基板に対して電気的に接続されたマイクロユニバーサルシリアルバスコネクタ部と、からなり、前記専用コネクタ部と前記マイクロユニバーサルバスコネクタ部間に相応の電気的接続が形成された、マイクロユニバーサルシリアルバスアダプタであることを特徴とする。
【０００８】
請求項２に記載の発明は、前記ハウジングが、上半部ハウジングおよび下半部ハウジングとの組み合わせから形成される、マイクロユニバーサルシリアルバスアダプタであることを特徴とする。
【０００９】
請求項３に記載の発明は、前記ハウジングがプラスチック素材製であるマイクロユニバーサルシリアルバスアダプタであることを特徴とする。
【００１０】
請求項４に記載の発明は、前記プラスチック素材がＡＢＳ樹脂であるマイクロユニバーサルシリアルバスアダプタであることを特徴とする。
【００１１】
請求項５に記載の発明は、前記専用コネクタがアップル社型専用コネクタであるマイクロユニバーサルシリアルバスアダプタであることを特徴とする。
【００１２】
請求項６に記載の発明は、前記ハウジングが該ハウジングの一つの角部付近に形成された開口部を有する請求項１に記載のマイクロユニバーサルシリアルバスアダプタであることを特徴とする。
【００１３】
請求項７に記載の発明は、前記ハウジングが該ハウジングの一つの角部付近に形成された開口部を有する請求項２記載のマイクロユニバーサルシリアルバスアダプタであることを特徴とする。
【００１４】
請求項８に記載の発明は、上半部ハウジングおよび下半部ハウジングから成るプラスチック製ハウジングと、前記ハウジング内に収納されるプリント回路基板と、前記プリント回路基板に対して電気的に接続されたアップル社型専用コネクタと、および、前記プリント回路基板に対して電気的に接続されたマイクロユニバーサルシリアルバスコネクタと、から構成され、前記アップル社型専用コネクタと前記マイクロユニバーサルシリアルバスコネクタとの間に相応の電気的接続が形成される、マイクロユニバーサルシリアルバスアダプタであることを特徴とする。
【００１５】
請求項９に記載の発明は、前記ハウジングが、該ハウジングの一つの角部付近に形成された開口部を有する請求項８に記載のマイクロユニバーサルシリアルバスアダプタであることを特徴とする。
【発明の効果】
【００１６】
本発明に係るマイクロユニバーサルシリアルバスアダプタによれば、アップル社製電子機器類と互換性のないコンピュータその他各種電子装置類との間で信号の授受やデータ類の援用ないし共用等が容易に実施可能となる。その結果、双方の電子装置類の利用範囲の大幅な拡張が期待できる。
【図面の簡単な説明】
【００１７】
【図１】本発明に係るマイクロユニバーサルシリアルバスアダプタの好適な実施例の全体斜視図である。
【図２】本発明に係るマイクロユニバーサルシリアルバスアダプタの好適な実施例の分解斜視図である。
【図３】本発明に係るマイクロユニバーサルシリアルバスアダプタの好適な実施例の平面図である。
【図４】本発明に係るマイクロユニバーサルシリアルバスアダプタの好適な実施例の正面図である。
【図５】本発明に係るマイクロユニバーサルシリアルバスアダプタの好適な実施例の底面図である。
【図６】本発明に係るマイクロユニバーサルシリアルバスアダプタの好適な実施例の左側面図である。
【図７】本発明に係るマイクロユニバーサルシリアルバスアダプタの好適な実施例の右側面図である。
【図８】本発明に係るマイクロユニバーサルシリアルバスアダプタの好適な実施例の背面図である。
【発明を実施するための形態】
【００１８】
以下、添付図を参照しつつ本発明に係るマイクロユニバーサルシリアルバスアダプタの実施の形態について説明する。しかし、明細書の開示並びに添付図面は本発明の開示のみを目的とするものであり、これらの内容によって本発明の技術的範囲が限定されるものではない。本発明の他の実施例は以下の開示から当業者が容易に想到し得る範囲をも包含するものである。
【００１９】
添付図面に示した好適な実施例において、マイクロユニバーサルシリアルバスアダプタ１は、好ましくはＡＢＳ樹脂のようなプラスチック素材のハウジング２によって包囲されている。ハウジング２は、図２に示すような上半部２１および下半部２２の２部材から構成される。プリント回路基板（Ｐｒｉｎｔｅｄ
Ｃｉｒｃｕｉｔ Ｂｏａｄ；以下「ＰＣＢ」と略記する）３は、ハウジング２内に固定される。アップル社型専用コネクタ４の雄型部はＰＣＢ３の一端に固定され、そしてマイクロＵＳＢコネクタ５の雌型部はＰＣＢ３の他端に固定されている。アップル社型専用コネクタ４はＰＣＢ３を介してマイクロＵＳＢコネクタ５の対応部位と電気的に接続される。アップル社型専用コネクタ４の雄型部は、ハウジング２の外部に突出しており、そしてポータブル電子機器類に装備されたアップル社型専用コネクタの雌型部と接合可能である。マイクロＵＳＢコネクタ５の雌型部はハウジング２の内側に位置付けられ、そして図示していないマイクロＵＳＢコネクタの雄型部と接続可能である。
【００２０】
マイクロユニバーサルシリアルバスアダプタ１の実施例において、ハウジング２は一隅（角）近くにキーチェーンまたはストラップ取付け用の開口部６が形成される。開口部６はハウジング２の一隅（角）近くの狭小部に三隅が弧状に形成された略三角状開口として形成することができる。開口部６は、マイクロユニバーサルシリアルバスアダプタ１を単独で所持しまたは保管する際に便宜なキーチェーンまたはストラップ類の取り付けに適する。
【００２１】
マイクロユニバーサルシリアルバスアダプタ１は、アップル社型専用コネクタに対してマイクロＵＳＢケーブルの接続を行うために便宜なコンパクトでかつ可搬性に優れたアダプタである。本発明に係るマイクロユニバーサルシリアルアダプタ１は、アップル社型専用コネクタを備えたポータブル電子装置類との間で、標準的なマイクロＵＳＢを介してデータ類の授受ないし転送が可能となる。マイクロユニバーサルシリアルバスアダプタ１は、ポータブル電子装置類のそれぞれに適する異種コネクタ類の付加された専用の接続ケーブルを不要とし、標準的なマイクロＵＳＢならびにケーブルの使用を可能にする。
【００２２】
本明細書においては特定の実施例並びに応用に関する開示がなされてはいるが、請求項に記載された本発明の構成並びに技術思想の範囲を逸脱することなしに、本発明に係る技術分野における当業者において付加的実施例並びに変更を実現することが可能となるものと解される。本明細書の記載並びに添付図は本発明に対する理解を容易にするための一例示としての記述にすぎないものであり、したがって本発明の権利範囲を限定するものと解すべきではない。
【産業上の利用可能性】
【００２３】
本発明に係るマイクロユニバーサルシリアルバスアダプタ、すなわちマイクロＵＳＢアダプタは、コンパクトかつ軽量に構成可能である。かかるマイクロＵＳＢアダプタを使用することによりアップル社型専用コネクタを装備する各種の電子装置類と、マイクロＵＳＢを装備する各種電子装置類との間において、それぞれに対応する専用コネクタを両端に装備する特殊な接続ケーブルや、両装置に適合する特殊中継手段を介在させることなしに、両装置間における電子データの交換ないし授受が極めて容易に実施可能となる。
【符号の説明】
【００２４】
１    マイクロユニバーサルシリアルバスアダプタ
２    ハウジング
３    プリント回路基板（ＰＣＢ）
４    アップル社型専用コネクタ（コネクタ雄型部）
５    マイクロＵＳＢコネクタ（コネクタ雌型部）
６    開口部
２１  上半部ハウジング
２２  下半部ハウジング
【図１】
2012038727.tif 000003
【図２】
2012038727.tif 000004
【図３】
2012038727.tif 000005
【図４】
2012038727.tif 000006
【図５】
2012038727.tif 000007
【図６】
2012038727.tif 000008
【図７】
2012038727.tif 000009
【図８】
2012038727.tif 000010